(57)【要約】      （修正有）【課題】ショートコース、河川敷等で手引きカートを使用してプレーする場合に便利なキャディーバックの外側に取り付けるパター等の収納筒を提供する。【解決手段】キャディーバックの外側に取り付けるパター等の収納筒は、パターシャフトの長さより短い筒状のパター収納本体１と、該パター収納本体１の底部２から突出形成した固定用ボルト３と、前記底部２の所定高さ位置から等間隔で複数個の前記パター収納本体１を横方向に貫通する高さ調節孔４とからなる。前記固定用ボルト３は、底部２の中心を外した位置に突出形成され、前記高さ調節孔４は、パターシャフトの長さに応じて選択して高さ調節ピン７を通し、パターヘッドがアイアンヘッドの上になるように固定する。【選択図】図１
0003139158.tif 000002
【実用新案登録請求の範囲】
【請求項１】
パターシャフトの長さより短い筒状のパター収納本体と、該パター収納本体の底部から突出形成した固定用ボルトと、前記底部の所定高さ位置から等間隔で複数個の前記パター収納本体を横方向に貫通する高さ調節孔とからなることを特徴とするキャディーバックの外側に取り付けるパター等の収納筒。
【請求項２】
前記固定用ボルトは、底部の中心を外した位置に突出形成されることを特徴とする請求項１記載のキャディーバックの外側に取り付けるパター等の収納筒。
【請求項３】
前記高さ調節孔は、パターシャフトの長さに応じて選択して高さ調節ピンを通し、パターヘッドがアイアンヘッドの上になるように固定することを特徴とする請求項１記載のキャディーバックの外側に取り付けるパター等の収納筒。
【考案の詳細な説明】
【技術分野】
【０００１】
本考案は、ショートコース、河川敷等で手引きカートを使用してプレーする場合に便利なキャディーバックの外側に取り付けるパター等の収納筒に関する。
【背景技術】
【０００２】
現在のキャディーバックは、パターの長さやフェースの個々の大きさ等に対応し切れていないため、場合によっては他のアイアン等のクラブの出し入れに支障をきたす場合もあり、邪魔になりがちだった。
そのために、クラブを取り出し易くするパター入れ及び分割式キャディーバックが知られている（特許文献１を参照）。
この公知技術では、筒状の専用のパター入れを設け、さらにキャディーバック外側に袋状のポケットを設け、該ポケットに前記パター入れを収納して前記パター入れの上部をバンドで固定するものである。
また、可搬補助バックをゴルフバック内部に着脱自在に設けたゴルフバックが知られている（特許文献２を参照）。
この公知技術は、可搬補助バックが上部にゴルフクラブの挿入口を有し、下部に底体を有する主体と、この主体の挿入口近傍に持ち運び取っ手を取り付けたもので、プレー中に、ゴルフクラブを載置したゴルフカートが遠い位置にあっても、次打のプレーに必要なゴルフクラブを収納して持参することで円滑にゴルフプレーを楽しむことにある。
【特許文献１】特開２００５−２２４５４６号公報
【特許文献２】登録実用新案第３０６８９５８号公報
【考案の開示】
【考案が解決しようとする課題】
【０００３】
本考案は、ショートコース、河川敷等で手引きカートを使用してプレーする場合に便利なキャディーバックの外側に取り付けるパター等の収納筒を提供することを目的とする。
【課題を解決するための手段】
【０００４】
本考案のキャディーバックの外側に取り付けるパター等の収納筒は、パターシャフトの長さより短い筒状のパター収納本体と、該パター収納本体の底部から突出形成した固定用ボルトと、前記底部の所定高さ位置から等間隔で複数個の前記パター収納本体を横方向に貫通する高さ調節孔とからなるものである。
前記固定用ボルトは、底部の中心を外した位置に突出形成されるものである。
前記高さ調節孔は、パターシャフトの長さに応じて選択して高さ調節ピンを通し、パターヘッドがアイアンヘッドの上になるように固定するものである。
【考案の効果】
【０００５】
本考案のキャディーバックの外側に取り付けるパター等の収納筒は、パター専用の収納筒を準備しキャディーバックの外側に取り付けるため、個人でショートコース、河川敷等で手引きカートを使用しプレーする場合、パターはショートアイアンよりも短いが、キャディーバックからの取り出しの際アイアンを寄せて取り出す必要が無くなる効果がある。
さらに、この収納筒には高さ調整機能が付いているため、パターヘッドがアイアンヘッドの上になり、パターヘッドとの接触が無く傷が付かない。したがって、ホール毎にパターにヘッドカバーをする必要が無くなる効果がある。
また、収納筒の取り付けは、キャディーバックのパラソルホルダーを使用するためパラソルホルダーさえ付いていればどのメーカーのものにも取付けられる。
【考案を実施するための最良の形態】
【０００６】
本考案のキャディーバックの外側に取り付けるパター等の収納筒の一実施例を添付図面に基づいて、以下に説明する。
図１に示すように、本考案のキャディーバックの外側に取り付けるパター等の収納筒は、パターシャフトの長さより短い筒状のパター収納本体１と、該パター収納本体１の底部２から突出形成した固定用ボルト３と、前記底部２の所定高さ位置から等間隔で複数個の前記パター収納本体１を横方向に貫通する高さ調節孔４とからなる。
【０００７】
前記パター収納本体１は、合成樹脂製、例えば塩ビ製が最適であるが、筒体材料には特に限定されないし、また円筒形に限らず、多角形の筒体でもよい。
筒体の入口部５にはグリップとシャフトの傷防止を目的に面取りされている。
【０００８】
前記底部２は、合成樹脂製、例えば塩ビ製が最適であるが、底部材料には特に限定されないし、底部２の中心を外した位置に固定用ボルト３が突出形成され、反対位置には水抜き用孔６が形成されている。
【０００９】
前記固定用ボルト３は、底部２の中心を外した位置に突出形成され、キャディーバックの底部付近に設けられているパラソルホルダーの開口孔に挿入され、座金・スプリングワッシャー・蝶ナットにより固定される。
【００１０】
前記高さ調節孔４は、パター収納本体１を貫通する穴が等間隔で複数個開けられていて、これに高さ調節ピン７を通すことになる。
前記高さ調節孔４は、本実施例では約１インチ間隔で３箇所に貫通する穴が開けられている。
【００１１】
次に、本考案のキャディーバックの外側に取り付けるパター等の収納筒の取り付け方法を以下に説明する。
キャディーバックの底部付近に設けられている下部パラソルホルダーの開口孔に固定用ボルト３を挿入し、固定用ボルト３に座金・スプリングワッシャー・蝶ナットを嵌合して蝶ナットを締め付けて下部パラソルホルダーに底部２を固定する。
そして、キャディーバックの開口部付近に設けられている上部パラソルホルダーのリングによりパター収納本体１の上部を固定する。
上部パラソルホルダーがリングタイプで前記パター収納本体１の外径より小さい場合には、別に用意したコードストッパー付き紐をリングに繋げて前記コードストッパー付き紐によりパター収納本体１の上部を固定する。
次に、パターシャフトの長さに応じて高さ調節孔４を選択し、選択した高さ調節孔４に高さ調節ピン７を通し、通した高さ調節ピン７が抜けないようにＲピン８を高さ調節ピン７に挿入して固定する。
このようにして、本考案のキャディーバックの外側に取り付けるパター等の収納筒の取り付けが完了するが、使用時には高さ調節ピン７の位置でパターのグリップ端部が停止し、パターヘッドがアイアンヘッドの上になり、パターヘッドは傷が付かないし、パターの使用は頻繁であるが出し入れが簡便に行える。
【図面の簡単な説明】
【００１２】
【図１】本考案のキャディーバックの外側に取り付けるパター等の収納筒の説明図である。
【符号の説明】
【００１３】
１  パター収納本体
２  底部
３  固定用ボルト
４  高さ調節孔
５  入口部
６  水抜き用孔
７  高さ調節ピン
８  Ｒピン
【図１】
0003139158.tif 000003